(57)【要約】      （修正有）【課題】誤操作防止用のカバーを繰り返して使用でき、ボタン装置を復旧させる作業を容易に能率よく行なえ、さらに操作上の安全性も高めることができるエレベータ用のボタン装置を提供する。【解決手段】ボタン枠３０に係合溝３６，３７が形成されている。誤操作防止用のカバー３８には突起４０，４１が形成され、これら突起４０，４１が係合溝３６，３７に係合することによりボタン枠３０の内側にカバー３８が保持されている。カバー３８の各角部には切欠部３９が形成され、この切欠部３９により隙間ａが確保されている。カバー３８を指先で押し込むと、突起４０，４１が係合溝３６，３７から外れ、カバー３８が変位してボタントップに当接する。変位したカバー３８は、隙間ａに工具を差し込んで手前側に引き込むことにより当初の位置に復帰させることができる。【選択図】図２
2006213430.tif 000002
【特許請求の範囲】
【請求項１】
押し込み式のボタントップと、このボタントップを囲むボタン枠と、このボタン枠の内周面の互いに対向する部分に形成された係合溝と、
前記ボタン枠の内側に嵌合され、周縁に前記係合溝に係合する突起を有し、該突起が前記係合溝に係脱可能に係合して前記ボタン枠の内側に前記ボタントップと離間して対向するように保持され、かつ周縁の一部または複数部には前記ボタン枠の内周面との間に隙間を生じさせる切欠部が形成されている誤操作防止用のカバーと、
を具備することを特徴とするエレベータ用ボタン装置。
【請求項２】
前記ボタン枠の内周面には、前記係合溝に加え、前記カバーの突起の遊合が可能な逃げ溝が前記ボタントップと隣接して形成されていることを特徴とする請求項１に記載のエレベータ用ボタン装置。
【請求項３】
前記ボタン枠およびカバーは四角形状で、前記切欠部は前記カバーの角部に形成されていることを特徴とする請求項１または２に記載のエレベータ用ボタン装置。
【請求項４】
前記カバーには、目視上の識別部として凹部が形成されていることを特徴とする請求項１、２または３に記載のエレベータ用ボタン装置。
【請求項５】
前記カバーには、目視上の識別部として着色のマークが付されていることを特徴とする請求項１、２または３に記載のエレベータ用ボタン装置。
【請求項６】
前記カバーは、一部または全部が非透明となっていることを特徴とする請求項１、２または３に記載のエレベータ用ボタン装置。
【発明の詳細な説明】
【技術分野】
【０００１】
この発明は、例えばエレベータのかご内に設けられ、非常時などにかご内の乗客が操作してその情報を外部に通報するために使用するエレベータ用ボタン装置に関する。
【背景技術】
【０００２】
図１０には、エレベータのかごの内部をその一側面側から見た外観図を示してある。乗客が乗るかご１は、床２、天井３、背面側の側板４、側面側の側板５、前面の出入口６、この出入口６を開閉するドア装置７、このドア装置７の側方に設けられたかご内操作盤８などを備え、さらに例えば側面側の側板５に非常用のボタン装置１０が設けられている。なお、９は天井３に設けられた照明装置である。
【０００３】
前記ボタン装置１０は、かご１内の乗客が非常時に操作してその非常の発生を外部に通報するために使用される。図１１にはボタン装置１０の正面図を、図１２にはその断面図を示してある。
【０００４】
図１２に示すように、側板５には取付口５ａが形成され、この取付口５ａを覆うように側板５の表面にボタン装置１０のフェイスプレート１１が取り付けられている。側板５の裏面には、複数の止め板１２を有するボックス１３が設けられ、このボックス１３の各止め板１２に前記フェイスプレート１１の表面側からねじ１４が螺挿され、これらねじ１４の締め付けによりフェイスプレート１１が側板５の表面に密着するように締結固定されている。
【０００５】
フェイスプレート１１の中央部には開口１６が形成され、またフェイスプレート１１の裏面にはスイッチ（図示せず）を内蔵したスイッチケース１７がスタッドボルト１８およびナット１９を介して締結固定されている。
【０００６】
スイッチケース１７の表面には、前記スイッチを操作するための押し込み式のボタントップ２２が突没可能に設けられている。このボタントップ２２は前記開口１６に遊合してフェイスプレート１１の表面側に露出するように支持されている。
【０００７】
フェイスプレート１１の表面には、開口１６と同心的に一対の枠リング２３，２４が複数のねじ２５を介して取り付けられている。一対の枠リング２３，２４間には誤操作防止用のカバー２６が挟み込まれている。このカバー２６は、一定以上の力で押圧されたときに破断する透明なプラスチックで形成され、前記ボタントップ２２の表面と一定の距離をあけて対向するように支持されている。
【０００８】
このようなボタン装置１０においては、通常時にはボタントップ２２がカバー２５で覆われているから、ボタントップ２２に対する不用意な誤操作が防止される。非常時には、かご１内の乗客が指先でカバー２６を一定以上の強い力で押し込む。この押し込みによりカバー２６が破断し、その指先がボタントップ２２に達してボタントップ２２が操作され、かご１の外部へ非常の通報がなされる。
【発明の開示】
【発明が解決しようとする課題】
【０００９】
しかしながら、このような従来の構造においては、ボタントップ２２が一旦操作されるとカバー２６が破断され、このためボタン装置１０を復旧させる際には、枠リング２３，２４を分解して破断したカバー２６を取り外し、また新たなカバー２６を持ち込み、その新たなカバー２６を枠リング２３，２４で挟み込み、ねじ２５で締め付けて再度取り付けなければならない。
【００１０】
すなわち、カバー２６を繰り返して使用することができず、その都度、新たなカバー２６を用意してそれをいちいち枠リング２３，２４およびねじ２５を用いてフェイスプレート１１に取り付けなければならず、このため作業が面倒で能率が低下するばかりでなく、コストが嵩んで不経済となる難点がある。  
さらに、ボタントップ２２を操作する際にはカバー２６を破断しなければならないから、指先に怪我を負うような恐れもあり、安全性の点でも問題がある。
【００１１】
この発明はこのような点に着目してなされたもので、その目的とするところは、カバーを繰り返して使用で、復旧させる作業を容易に能率よく行なえ、さらに安全性も高めることができるエレベータのボタン装置を提供することにある。
【課題を解決するための手段】
【００１２】
請求項１の発明は、押し込み式のボタントップと、このボタントップを囲むボタン枠と、このボタン枠の内周面の互いに対向する部分に形成された係合溝と、前記ボタン枠の内側に嵌合され、周縁に前記係合溝に係合する突起を有し、該突起が前記係合溝に係脱可能に係合して前記ボタン枠の内側に前記ボタントップと離間して対向するように保持され、かつ周縁の一部または複数部には前記ボタン枠の内周面との間に隙間を生じさせる切欠部が形成されている誤操作防止用のカバーとを具備することを特徴としている。
【００１３】
請求項２の発明は、前記ボタン枠の内周面に、前記係合溝に加え、前記カバーの突起の遊合が可能な逃げ溝が前記ボタントップと隣接して形成されていることを特徴とする。
【００１４】
請求項３の発明は、前記ボタン枠およびカバーが四角形状で、前記切欠部は前記カバーの角部に形成されていることを特徴としている。
【００１５】
請求項４の発明は、前記カバーに、目視上の識別部として凹部が形成されていることを特徴としている。
【００１６】
請求項５の発明は、前記カバーに、目視上の識別部として着色のマークが付されていることを特徴としている。
【００１７】
請求項６の発明は、前記カバーの一部または全部が非透明となっていることを特徴としている。
【発明の効果】
【００１８】
この発明によれば、誤操作防止用のカバーを繰り返して使用で、ボタン装置を復旧させる作業を容易に能率よく行なえ、さらに操作上の安全性も高めることができる。
【発明を実施するための最良の形態】
【００１９】
以下、この発明の実施の形態について図１ないし図９を参照して説明する。なお、従来の構成と対応する部分には同一符号を付して重複する説明を省略する。
【００２０】
図１にはこの発明の第１の実施形態に係るボタン装置の外観を示す斜視図を、図２にはそのボタン装置の正面図を、図３にはそのボタン装置の断面図を示してある。
【００２１】
このボタン装置１０においては、フェイスプレート１１に形成された開口１６、およびこの開口１６に遊合するボタントップ２２がそれぞれ四角形状となっている。そしてフェイスプレート１１の開口１６に四角形状のボタン枠３０が装着され、このボタン枠３０の内側にボタントップ２２が遊合されている。
【００２２】
このボタン枠３０は、開口１６の内周に嵌着する嵌着口部３１と、この嵌着口部３１と一体に連なってフェイスプレート１１の表面側に突出するフード部３２とで構成されている。なお、３３はフード部３２の両側に一体に張出すように形成された飾り部である。
【００２３】
ボタン枠３０の内周面の例えば上面と下面には、それぞれ一対ずつ係合溝３６，３７が形成され、これら係合溝３６，３７を介してボタン枠３０の内側に誤操作防止用のカバー３８が装着保持されている。
【００２４】
図４にはボタン枠３０とカバー３８とを分解した状態を示してあり、この図４に示すように、カバー３８はボタン枠３０に対応する四角の外形を有し、かつその各角部が切欠部３９として斜めに切欠された多角形状となっている。そしてこのカバー３８の上縁および下縁に前記係合溝３６，３７に対応する高さの小さい突起４０，４１が一体に突出形成されている。
【００２５】
このカバー３８は、図２および図３に示すように、上縁の突起４０がボタン枠３０の内側上面の係合溝３６に、下縁の突起４１がボタン枠３０の内側下面の係合溝３７にそれぞれ係脱可能に嵌着されてボタン枠３０の前面側開口部に装着保持されている。
【００２６】
カバー３８は、比較的腰の強い弾性変形が可能な透明なプラスチック材で形成され、ボタントップ２２の表面と一定の距離をあけて対向するようにボタン枠３０に装着されている。このカバー３８の各角部は切欠部３９として切欠されており、このためカバー３８の周縁とボタン枠３０の内周面との間には、前記切欠部３９の部分において、カバー３８の表面側から裏面側に通じる隙間ａが生じている。
【００２７】
カバー３８は透明な材料であるが、このカバー３８の表面中央部には目視上の識別部として環状をなす凹部４４が形成されている。また、ボタントップ２２の表面には、図１に示すように通報器をデザインしたマーク４５と『ひじょう』という標記文字４６が付され、これらマーク４５および標記文字４６をカバー３８を透視して目視することができるようになっている。
【００２８】
次に、このボタン装置１０の作用について説明する。
【００２９】
図５（Ａ）および図６（Ａ）には通常時の状態を示してある。非常時には、図５（Ａ）および図６（Ａ）に示すカバー３８をかご内の乗客が指先で一定以上の圧力で押し込む。この押し込みに応じて、例えば図５（Ｂ）および図６（Ｂ）に示すように、カバー３８の上縁の突起４０が係合溝３６から外れてカバー３８がボタン枠３０の奥側に変位し、この変位でボタントップ２２が押圧され、これによりスイッチが入って非常の発生がかごの外部に通報される。
【００３０】
一方、安全が確認された後には、ボタン装置１０を復旧させる。この復旧の際の作業手順を図７（Ａ）〜（Ｂ）に示してある。
【００３１】
カバー３８の各角部には切欠部３９が形成されてその切欠部３９とボタン枠３０との間には隙間ａが生じている。そこで、まず図７（Ａ）に示すように、先端部がほぼＬ形に曲った鉤状の工具ｂを用い、この工具ｂの先端部を前記隙間ａからカバー３８の裏面側に差し込む。
【００３２】
そして図７（Ｂ）に示すように、工具ｂの先端部をカバー３８の縁部に掛け、この状態で工具ｂと共にカバー３８を手前側に引き込む。この引き込みにより図７（Ｃ）に示すように、カバー３８がボタントップ２２から離れ、突起４０が係合溝３６に係合してカバー３８が当初の状態に復帰し、ボタン装置１０の再使用が可能となる。
【００３３】
図５ないし図７の状態は、乗客が指先でカバー３８の上部を押したときの場合であるが、カバー３８の下部を押したときには、カバー３８の下縁の突起４１が係合溝３７から外れてカバー３８がボタン枠３０の奥側に変位してボタントップ２２が押し込まれ、またカバー３８の中央部を押したときには、カバー３８の上縁と下縁の双方の突起４０、４１が各係合溝３６，３７から外れてカバー３８がボタン枠３０の奥側に変位してボタントップ２２が押し込まれるが、そのいずれの場合であっても、前述の場合と同様に、カバー３８の切欠部３９とボタン枠３０との間の隙間ａに工具ｂを差し込み、その工具ｂでカバー３８を手前側に引き込み、突起４０，４１と係合溝３６，３７とを係合させることでカバー３８を当初の状態に復帰させることができる。
【００３４】
このようなボタン装置１０においては、カバー３８を繰り返して使用することができ、新たなカバー３８を用意することも必要がなく、このためコストを軽減でき、またボタントップ２２が操作された後にはカバー３８を工具ｂで単に引き込むだけでよく、したがってボタン装置１０の復旧作業を容易に能率よく行なうことができる。さらに、ボタン装置１０を操作する際には、カバー３８を押し込んで変位させるだけで、カバー３８を破断する必要がないから、指先に怪我を負うような恐れがなく、安全に操作することができる。
【００３５】
ところで、カバー３８の全体が透明であると、視覚上カバー３８の存在が判然とせず、ボタン装置１０を操作するときに戸惑いが生じる恐れがあるが、この実施形態におけるカバー３８の表面には識別部として凹部４４が形成され、光の反射や屈折の相違でその凹部４４を視覚的に識別でき、このためカバー３８の存在を即座に判別でき、したがって戸惑いなく速やかにボタン装置１０を操作することができる。
【００３６】
なお、カバー３８の表面には識別部として着色の例えば円環状のマークを付したり、あるいはカバー３８の一部を非透明とし、または全部を非透明としてカバー３８を識別させることも可能である。カバー３８の全部を非透明とする場合であっても、カバー３８の各角部に形成されている切欠部３９によりカバー３８の存在を視覚的に容易に判別でき、戸惑いなくボタン装置１０を操作することができる。
【００３７】
ところで、カバー３８を押し込み、このカバー３８がボタントップ２２に当接してスイッチが投入されたときに、係合溝３６，３７から外れたカバー３８の突起４０，４１がボタン枠３０の内周面に弾性的に引っ掛かり、ボタントップ２２がそのカバー３８で長時間に渡って押されたままの状態となるような不都合が生じる場合がある。
【００３８】
そこで、図８および図９に示す第２の実施形態のボタン装置１０においては、ボタン枠３０の内周面でかつボタントップ２２と隣接する部分に、カバー３８の遊合が可能な逃げ溝５０，５１が係合溝３６，３７と並列するように形成されている。
【００３９】
このような構成によれば、図９（Ａ）の状態からカバー３８が乗客の指先で押し込まれ、図９（Ｂ）に示すようにそのカバー３８がボタントップ２２に当接するときに、係合溝３６から外れた突起４０が逃げ溝５０に遊びをもって嵌合し、したがってカバー３８がボタン枠３０の内側に拘束されることなく、ボタン枠３０の内側に遊動自在に保持される。
【００４０】
このため、指先でカバー３８を押し込んでボタントップ２２を操作した後に、その指先をカバー３８から離すと、カバー３８が遊動し、ボタントップ２２が当初の位置に復帰してスイッチが切れ、長時間に渡ってボタントップ２２が押されたままとなるような不都合が防止される。
【００４１】
また、カバー３８の突起４１が係合溝３７から外れた場合にも、その突起４１が逃げ溝５１に遊びをもって嵌合し、したがってカバー３８がボタン枠３０の内側に拘束されることなく、ボタン枠３０の内側に遊動自在に保持され、したがって指先を離した後にはボタントップ２２が当初の位置に復帰してスイッチが切れ、長時間に渡ってボタントップ２２が押されたままとなるような不都合が防止される。
【００４２】
なお、前記各実施形態では、ボタン枠の内周面の上面と下面とに係合溝を形成し、カバーの上縁と下縁にその係合溝に対応する突起を形成するようにしたが、ボタン枠の内側の両側面に係合溝を形成し、カバーの両側縁にその係合溝に対応する突起を形成するような場合であってもよい。そしてその係合溝および突起の数も一対ずつとする場合に限らず、一つずつでも三つずつでもその数は限定されない。
【００４３】
また、前記各実施形態では、ボタン枠およびカバーを四角形状とし、そのカバーの各角部に切欠部を形成することにより、復帰用の工具の差し込みが可能な隙間を形成するようにしたが、例えばボタン枠およびカバーを円形状とし、その円形状のカバーの周縁の一部または複数部に切欠部を形成し、その切欠部で復帰用の工具の差し込みが可能な隙間を形成するような場合であってもよい。
【００４４】
さらに、この発明のボタン装置は、エレベータのかご内に設ける場合に限らず、例えばエレベータ乗り場の壁面などに設けるような場合であってもよい。
【図面の簡単な説明】
【００４５】
【図１】この発明の第１の実施形態に係るボタン装置を示す斜視図。
【図２】そのボタン装置の正面図。
【図３】そのボタン装置の断面図。
【図４】そのボタン装置におけるボタン枠とカバーとを分解して示す正面図。
【図５】そのボタン装置の操作時の動作を順に示す斜視図。
【図６】そのボタン装置の操作時の動作を順に示す断面図。
【図７】そのボタン装置の操作後に行なう復旧作業の手順を順に示す斜視図。
【図８】この発明の第２の実施形態に係るボタン装置を示す斜視図。
【図９】そのボタン装置の操作時の動作を順に示す断面図。
【図１０】エレベータのかご内をその一側面側から見たときの外観を示す斜視図。
【図１１】従来のボタン装置を示す正面図。
【図１２】そのボタン装置の断面図。
【符号の説明】
【００４６】
１０…ボタン装置
１１…フェイスプレート
１６…開口
１７…スイッチケース
２２…ボタントップ
３６．３７…係合溝
３８…カバー
３９…切欠部
４０．４１…突起
５０．５１…逃げ溝
ａ…隙間
ｂ…工具
【図１】
2006213430.tif 000003
【図２】
2006213430.tif 000004
【図３】
2006213430.tif 000005
【図４】
2006213430.tif 000006
【図５】
2006213430.tif 000007
【図６】
2006213430.tif 000008
【図７】
2006213430.tif 000009
【図８】
2006213430.tif 000010
【図９】
2006213430.tif 000011
【図１０】
2006213430.tif 000012
【図１１】
2006213430.tif 000013
【図１２】
2006213430.tif 000014